(57)【要約】【課題】効率よく微生物の働きを得ることができ、農作物の成長を促進することができる土壌改良剤及び土壌改良剤の製造方法を提供する。【解決手段】土壌改良剤は、竹粉末と、微生物と、発酵促進剤と、ミネラルと、を含む。前記微生物は好気性微生物であってもよい。前記発酵促進剤は、芋の搾りかす及び大豆の搾りかすの少なくとも一方を含んでもよい。前記ミネラルの質量混合率は、土壌改良剤全体の０．１〜１０％であってもよい。前記ミネラルは使用する１〜７日前に混合してもよい。【選択図】図１
2017048356.tif 000002
【特許請求の範囲】
【請求項１】
竹粉末と、
微生物と、
発酵促進剤と、
ミネラルと、
を含む土壌改良剤。
【請求項２】
前記微生物は、
好気性微生物である、
請求項１に記載の土壌改良剤。
【請求項３】
前記発酵促進剤は、
芋の搾りかす及び大豆の搾りかす、菜種の搾りかすの少なくともいずれか一つを含む、
請求項１または２に記載の土壌改良剤。
【請求項４】
前記ミネラルの質量混合率が土壌改良剤全体の０．１〜１０％である、
請求項１から３のいずれかの一項に記載の土壌改良剤。
【請求項５】
前記ミネラルは、
使用する１〜７日前に混合する、
請求項１から４のいずれかの一項に記載の土壌改良剤。
【請求項６】
竹粉末と微生物と発酵促進剤を混合する第一混合工程と、
前記第一混合工程で得られた混合物を撹拌する撹拌工程と、
前記混合物を発酵させる発酵工程と、
前記混合物とミネラルを混合する第二混合工程と、
を含む土壌改良剤の製造方法。
【請求項７】
前記第二混合工程は、前記混合物の温度が摂氏４０度以下で、かつ、
色が焦げ茶色になったことを確認したことを条件として行う、
請求項６に記載の土壌改良剤の製造方法。
【発明の詳細な説明】
【技術分野】
【０００１】本発明は、土壌改良剤及び土壌改良剤の製造方法に関する。
【背景技術】
【０００２】昨今、食の安心・安全が叫ばれ、注目が集中しているが、食物自体の栄養価や味への関心はまだ低い。一方、生産者側は、生産効率への意識が強く、農薬や化学肥料への依存も高い。
そういった背景もあり、生産効率の向上のために、土壌改良剤や堆肥を使用する生産者も多くなっているが、植物への影響、効果を検証の上に使用されているケースは少ない。【０００３】農作物市場では、有機肥料や無農薬栽培が求められているが、農法を変えただけでは、長年にわたり化学肥料や農薬を使用してきた環境において、植物自体の自己治癒力や病害虫への耐性、栄養価を高めることはできない。【０００４】栄養成分といえば、ビタミンやアミノ酸は、名称、効能ともによく知られるようになったが、ミネラルについては、多くは知られていない。一方で、現代の日本人は、ビタミンやミネラルが不足していると言われている。しかし、前述したとおり、現在の土壌では、ビタミンやミネラルといった、栄養価の高い植物を作ることはできない。そのため、なんらかの形質の改良が必要であるが、前述したとおり、植物への影響を考慮したものはまだまだ少ない。【０００５】筍の生産の低下、竹製品の消費減少などにより、中山間地だけなく、平野部までも竹林が目立つようになった。竹は成長が早く、整備するためには多くの労力が必要である。また放置しておくと、周囲への浸食が早いだけでなく、地滑りの原因にもなるため、何らかの対処が望まれる状態である。【０００６】従来知られているものとして、特許文献１に、微生物を用いた土壌改良剤に、竹抽出液、ミネラル、大豆抽出液等を混合する内容が開示されている。特許文献２には、竹の発酵および分解を速め、短期間で竹を堆肥化し有効活用を図った内容が開示されている。さらに特許文献３には、竹の特性を土壌改良剤に用いる内容が記載されている。【０００７】特許文献１では、乳酸菌や酵母などの嫌気性微生物が使用されているが、嫌気性微生物はその性質上、活動範囲や環境が限定されるため、製造環境が制限されるという問題が挙げられる。
また、特許文献１には、ミネラルの添加の時期が開示されていない。製造過程で添加されると想定されるため、過程内で微生物によりミネラルが分解されてしまい、植物に対するミネラルの効果は得にくいものと推測される。【０００８】特許文献２では廃菌床を用いているが、菌床の素材に含まれたミネラルはキノコに分解、吸収されるという問題が挙げられる。【０００９】特許文献３では、特許文献１同様、乳酸菌や酵母などの嫌気性微生物が使用されているが、嫌気性微生物はその性質上、活動範囲や環境が限定されるため、製造環境が制限されるという問題が挙げられる。
また、特許文献３では、ミネラルが添加されていないため、使用する土中がミネラル不足になるという問題が挙げられる。さらに特許文献３では、竹のみを微生物と混合しているため、分解に時間がかかるという問題が挙げられる。
【先行技術文献】
【特許文献】
【００１０】
【特許文献１】特許３２０３４７９号公報
【特許文献２】特開２００７−１６１５０１号公報
【特許文献３】特開２０１３−１１６９９６号公報
【発明の概要】
【発明が解決しようとする課題】
【００１１】上記特許文献１及至３に開示された土壌の改良では、使用する微生物により製造環境が制限されるという課題及びミネラルの混合時期により十分な効果が得られない課題が挙げられる。【００１２】本発明は、上記実情に鑑みてなされたものであり、効率よく微生物の働きを得ることができ、農作物の成長を促進することができる土壌改良剤及び土壌改良剤の製造方法を提供することを目的とする。
【課題を解決するための手段】
【００１３】本発明の第一の観点に係る土壌改良剤は、竹粉末と、微生物と、発酵促進剤と、ミネラルと、を含む。【００１４】この場合、前記微生物は、好気性微生物である、こととしてもよい。【００１５】また、前記発酵促進剤は、芋の搾りかす及び大豆の搾りかす、菜種の搾りかすの少なくともいずれか一つを含む、こととしてもよい。【００１６】また、前記ミネラルの質量混合率は土壌改良剤全体の０．１〜１０％である、こととしてもよい。【００１７】また、前記ミネラルは、土壌改良剤として使用する１〜７日前に混合する、こととしてもよい。【００１８】本発明の第二の観点に係る土壌改良剤は、竹粉末と微生物と発酵促進剤を混合する第一混合工程と、前記第一混合工程で得られた混合物を撹拌する撹拌工程と、前記混合物を発酵させる発酵工程と、前記混合物とミネラルを混合する第二混合工程と、を含む、こととしてもよい。【００１９】この場合、前記第二混合工程は、前記混合物の温度が摂氏４０度以下で、かつ、色が焦げ茶色になったことを確認したことを条件として行う、こととしてもよい。
【発明の効果】
【００２０】効率よく微生物の働きを得ることができ、農作物の成長を促進することができる。
【図面の簡単な説明】
【００２１】
【図１】本願実施例に係る土壌改良剤の製造工程を示す概要図である。
【図２】本願実施例に係る土壌改良剤をトマトに使用した写真を示す図である。
【図３】本願実施例に係る土壌改良剤をトマトに使用しなかった写真を示す図である。
【発明を実施するための形態】
【００２２】まず、本発明にかかる土壌改良剤に用いるものの好適な製造方法を説明する。なお、本発明に係る土壌改良剤の製造に用いる成分は、竹粉末と微生物と発酵促進剤とミネラルとである。
【００２３】竹粉末は、竹を粉末化したものを用い、竹加工の際に出る竹粉末や、竹林整備のために伐採した竹を粉末化したものを用いることもできる。
【００２４】微生物は、公知の方法で培養され、粉末化したものを用い、乳酸桿菌、酢酸菌、枯草菌、シグマ菌、こうじ菌、納豆菌などの使用環境に左右されにくい好気性微生物が好ましい。
【００２５】発酵促進剤は、芋の搾りかす及び大豆の搾りかす、菜種の搾りかすの少なくともいずれか一つを用いる。
【００２６】ミネラルはマンガン、鉄、銅、亜鉛、モリブデンなどを含む公知の薬剤（肥料）を用いる。
【００２７】次に本発明にかかる土壌改良剤に用いるものの好適な使用方法を説明する。
【００２８】ミネラルの質量混合率は、土壌改良剤全体の０．１〜１０％の割合で用いる。好ましくは０．２〜４．０％、特に好ましくは０．３〜２．０％、さらに好ましくは０．４％である。ミネラルの質量混合率が土壌改良剤全体の０．１％に満たない場合、効率よく微生物の働きを得ることができず、農作物の成長を促進効果が小さい。またミネラルの質量混合率が土壌改良剤全体の１０％を超える場合、望ましい効果を得ることができない。
【００２９】次に本発明にかかる土壌改良剤の製造方法及び好適な製造条件を説明する。
【００３０】本願に係る土壌改良剤の製造工程は、図１に示す通り、前記竹粉末と微生物と発酵促進剤を混合する第一混合工程（Ｓ１００）と、混合物を撹拌する撹拌工程（Ｓ１０５）と、混合物を発酵する発酵工程（Ｓ１１０）と、混合物の温度を確認する工程（Ｓ１１５）と、混合物の色を確認する工程（Ｓ１２０）と、混合物とミネラルを混合する第二混合工程（Ｓ１２５）と、からなる。
【００３１】撹拌工程（Ｓ１０５）、発酵工程（Ｓ１１０）は、発酵ムラをなくすため、混合物を約３日間発酵させ、１回撹拌を１サイクルとして実施する。
【００３２】Ｓ１１５では、撹拌工程（Ｓ１０５）、発酵工程（Ｓ１１０）の１サイクル毎に、混合物の内部温度を次の条件で確認する。
温度条件  混合物の内部温度≦摂氏４０度
【００３３】Ｓ１２０では、撹拌工程（Ｓ１０５）、発酵工程（Ｓ１１０）の１サイクル毎に、混合物の色を次の条件で確認する。
色条件    混合物の色がこげ茶色であるか
【００３４】混合物の温度を確認する工程（Ｓ１１５）と、混合物の色を確認する工程（Ｓ１２０）と、の条件が満たされるまで撹拌工程（Ｓ１０５）及び発酵工程（Ｓ１１０）を繰り返し実施する。経験則として約３０サイクルを実施するのが好ましい。
【００３５】ミネラルは土壌改良剤として使用する１〜７日前に混合物に混合する。
ミネラルを混合物に混合してから１日経過前に土壌改良剤を使用すると、効率よく微生物の働きを得ることができず、農作物の成長を促進効果が小さい。またミネラルを混合物に混合してから７日経過後に土壌改良剤を使用した場合、望ましい効果を得ることができない。
【００３６】本願土壌改良剤を使用する際の目安を説明する。
元肥として使用する場合は、圃場面積１００ｍ２につき３０Ｌを偏りなく散布し、土と土壌改良剤を混和する。
畦に使用する場合は、圃場面積１００ｍ２につき１５Ｌを畦の肩に偏りなく散布する。
樹木に使用する場合は、圃場面積１００ｍ２につき１５Ｌを樹木の根圏に偏りなく散布する。
【００３７】散布後に追肥をすることで、ミネラルにより、活性化した微生物が効果的に働くため、肥料の効きをよくすることができる。
【実施例】
【００３８】図１〜図３、及び表１を用いて、本願に係る実施例を説明する。【００３９】本願実施例に係る土壌改良剤は、竹粉末と微生物と発酵促進剤として芋の搾りかすを用いる。また、ミネラルとしては、マンガン、鉄、銅、亜鉛、モリブデンなどのミネラルを含む公知の薬剤としてフクモハーモニーＺ（日本農業科学株式会社製）を用いる。【００４０】本願実施例に係る土壌改良剤の製造方法を詳細に説明すると、図１に示す通り、最初に、第一混合工程（Ｓ１００）において、竹粉末１０００ｋｇと発酵促進剤としての芋の搾りかす１０００ｋｇと微生物３ｋｇを混合する。
次に、第一混合工程（Ｓ１００）において得られた混合物を約３日間発酵（Ｓ１１０）させ、１回撹拌（Ｓ１０５）するというサイクルを約３０回行う。【００４１】ここで得られた、混合物の内部の温度が摂氏４０度以下（Ｓ１１５）、かつ、色が焦げ茶色になったことを確認（Ｓ１２０）し、発酵と撹拌の工程を終了する。
最後に、第二混合工程（Ｓ１２５）において、本願実施例に係る土壌改良剤を使用する１日前にフクモハーモニーＺを７ｋｇ混合する。【００４２】図２は、前記の土壌改良剤を使用したトマトを示す。【００４３】図３は土壌改良剤を使用しなかったトマトを示す。土壌改良剤の使用の有無以外の育成方法については、図２、図３、ともに同じ方法を用いている。【００４４】図２のものは、図３のものと比較して、茎が太く、花も多くついている。【００４５】表１に示すように、ミニトマトの栽培に、本実施例に係る土壌改良剤を使用した場合、茎の太さ、実の直径がそれぞれ、約２０ｍｍ、約３０ｍｍとなった。一方、ミニトマトの栽培に、同一条件で、本実施例に係る土壌改良剤を使用しなかった場合、茎の太さ、実の直径がそれぞれ、約１５ｍｍ、約２０ｍｍとなっており、本実施例に係る土壌改良剤を使用することで、３０〜５０％の向上があった。【００４６】さらに、表１に示すように、じゃがいもの栽培において、本実施例に係る土壌改良剤を使用した場合、弦の太さが約５ｍｍ、収穫量が９個となった。一方、じゃがいもの栽培において、同一条件で、本実施例に係る土壌改良剤を使用しなかった場合、弦の太さが約４ｍｍ、収穫量が５個となり、本実施例に係る土壌改良剤を使用することで、２５〜８０％の向上があった。【００４７】また、表１に示すように、金柑の栽培において、本実施例に係る土壌改良剤を使用した場合、収穫した実の糖度の平均が、約１６度となった。
一方、金柑の栽培において、同一条件で、本実施例に係る土壌改良剤を使用しなかった場合、収穫した実の糖度の平均が、約１０度となり、本実施例に係る土壌改良剤を使用することで、６０％の向上があった。【００４８】
【表１】
2017048356.tif 000003
【図１】
2017048356.tif 000004
【図２】
2017048356.tif 000005
【図３】
2017048356.tif 000006